(57)【特許請求の範囲】
【請求項１】
長手状に延びるヘッド本体に所定の払拭部材または掃毛を支持してなる清掃ヘッド、および上記清掃ヘッドに連結された長手状の柄を備える清掃具と、この清掃具を支持可能な支持体とのセットであって、
上記柄は、その先端において上記ヘッド本体に対してその短手方向に延びる回動軸を中心として回動可能であるとともに、上記ヘッド本体に沿う倒れ回動位置をとることができ、
上記支持体は、上記ヘッド本体の長手寸法と対応した長手寸法を有する底板と、この底板の長手方向の両端から立ち上がり、互いに対向する第１および第２の側板と、を備えるとともに、上記第１の側板は、この第１の側板における上記底板と反対側の縁に開放部を有する溝部を有しており、上記第２の側板は、この第２の側板における上記底板と反対側の縁に開放部を有する追加の溝部を有し、この追加の溝部は、上記第１の側板の上記溝部に対向する位置にあり、
上記支持体は、上記柄が上記倒れ回動位置をとる上記清掃具を、長手軸が上記底板の長手方向に沿うようにした上記ヘッド本体が上記第１および第２の側板間に位置し、かつ、上記柄が上記溝部に進入した状態で支持することができ、
上記柄が上記倒れ回動位置をとるとき、上記ヘッド本体の長手方向の両端部のうち少なくとも上記柄の基端に対して遠くに位置する端部には、上記溝部および上記追加の溝部に進入可能な突起が形成されていることを特徴とする、清掃具と支持体とのセット。
【請求項２】
上記ヘッド本体は、上記柄を上記倒れ回動位置で保持する柄保持手段をさらに備える、請求項１に記載の清掃具と支持体とのセット。
【請求項３】
上記溝部および上記追加の溝部は、曲線状に形成されている、請求項１または２に記載の清掃具と支持体とのセット。
【請求項４】
上記柄保持手段は、上記柄が上記倒れ回動位置をとるときに上記柄の倒れ方向の回動を規制するストッパと、上記柄が上記倒れ回動位置をとるまで回動する直前に弾性的に乗り越える凸部とにより構成される、請求項２に記載の清掃具と支持体とのセット。
【請求項５】
上記ヘッド本体は、上記回動軸の延びる方向についての幅が相対的に狭い幅狭部と、上記幅が相対的に広い幅広部とを備えており、上記柄は上記幅狭部において回動可能に連結されているとともに、上記幅狭部と上記幅広部との境界の段部が上記ストッパを構成しており、かつ、上記凸部は上記幅狭部の側面に形成されている、請求項４に記載の清掃具と支持体とのセット。
【請求項６】
上記幅狭部と、上記幅広部は、上記ヘッド本体の長手方向全長にわたって設けられている、請求項５に記載の清掃具と支持体とのセット。
【請求項７】
上記柄は、上記幅狭部の長手方向中央部において回動可能に連結されており、上記凸部は、上記幅狭部の長手方向両端部付近に設けられている、請求項６に記載の清掃具と支持体とのセット。
【請求項８】
上記柄は、少なくとも先端から所定長さの範囲において、上記幅狭部を挟んで位置する一対の棒状部を備えており、上記ストッパおよび上記凸部は、上記幅狭部の上記短手方向両側に設けられている、請求項５ないし７のいずれかに記載の清掃具と支持体とのセット。
【請求項９】
上記支持体には、上記底板の短手方向における一方の縁につながる第３の側板が設けられており、
上記第３の側板において、上記底板の長手方向の一方および他方の縁が上記第１および第２の側板につながっている、請求項１ないし８のいずれかに記載の清掃具と支持体とのセット。
【請求項１０】
上記底板および上記第３の側板は、外側に凸の湾曲状とされている、請求項９に記載の清掃具と支持体とのセット。
【発明の詳細な説明】
【技術分野】
【０００１】
本発明は、清掃具と、この清掃具を分離自在に支持する支持体とからなる、清掃具と支持体とのセットに関する。
【背景技術】
【０００２】
一般に、床面などの掃き掃除用の清掃具は、長手状の清掃ヘッドと、この清掃ヘッドに連結される柄とを備えており、柄の先端が清掃ヘッドに回動可能に連結されたものが知られている。箒として構成される清掃具の場合、清掃ヘッドは、多数本の掃毛が長手状に延びるヘッド本体に植設された構成とされている。
【０００３】
上記のような清掃具を支持可能な支持体（清掃具用スタンド）が知られている（たとえば特許文献１を参照）。特許文献１に開示された清掃具用スタンドにおいては、同文献の図１および図２によく表れているように、基台部（１１）と、この基台部から上方に延びる支柱（１２）と、支柱の上端に設けられた把手（１３）とを備えている。基台部（１１）は、横方向に長尺な収容空間を有し、この収容空間に清掃具の清掃ヘッドが収容される。把手（１３）は、相互に開閉自在な一対の保持アーム（１３ａ，１３ｂ）を有しており、これら保持アームにより清掃具の柄の上端を保持することが可能となっている。上記構成の清掃具用スタンドによれば、柄が上下方向に延びるように立てたままの状態で支持することができ、清掃具の不使用時の保管等において便利である。
【０００４】
しかしながら、上記従来の清掃具用スタンドにおいては、清掃ヘッドはその長手方向全長が床面に沿う姿勢で支持されるので、比較的に多くのスペースを占有してしまう。また、支柱（１２）や把手（１３）を有する清掃具用スタンドによれば、当該スタンド全体として大型化を招く。さらに、上記従来構成の清掃具用スタンドでは、清掃具をスタンドに支持させる、あるいはスタンドから分離させる度に、保持アームの開閉状態を切り替える必要があるので、その操作が煩わしく、清掃具の支持構造もやや複雑なものとなっていた。
【先行技術文献】
【特許文献】
【０００５】
【特許文献１】特開２００４−４９３９１号公報
【発明の概要】
【発明が解決しようとする課題】
【０００６】
本発明は、このような事情のもとで考え出されたものであって、清掃具と、この清掃具を支持可能な支持体とのセットにおいて、保管時における占有スペースを抑えるとともに、清掃具の支持構造の簡素化を図り、支持体に対する清掃具の支持・分離操作が簡単な清掃具と支持体とのセットを提供することを課題とする。
【課題を解決するための手段】
【０００７】
上記の課題を解決するため、本発明では、次の技術的手段を講じている。
【０００８】
本発明によって提供される清掃具と支持体とのセットは、長手状に延びるヘッド本体に所定の払拭部材または掃毛を支持してなる清掃ヘッド、および上記清掃ヘッドに連結された長手状の柄を備える清掃具と、この清掃具を支持可能な支持体とのセットであって、上記柄は、その先端において上記ヘッド本体に対してその短手方向に延びる回動軸を中心として回動可能であるとともに、上記ヘッド本体に沿う倒れ回動位置をとることができ、上記支持体は、上記ヘッド本体の長手寸法と対応した長手寸法を有する底板と、この底板の長手方向の両端から立ち上がり、互いに対向する第１および第２の側板と、を備えるとともに、上記第１の側板は、この第１の側板における上記底板と反対側の縁に開放部を有する溝部を有しており、上記第２の側板は、この第２の側板における上記底板と反対側の縁に開放部を有する追加の溝部を有し、この追加の溝部は、上記第１の側板の上記溝部に対向する位置にあり、上記支持体は、上記柄が上記倒れ回動位置をとる上記清掃具を、長手軸が上記底板の長手方向に沿うようにした上記ヘッド本体が上記第１および第２の側板間に位置し、かつ、上記柄が上記溝部に進入した状態で支持することができ、上記柄が上記倒れ回動位置をとるとき、上記ヘッド本体の長手方向の両端部のうち少なくとも上記柄の基端に対して遠くに位置する端部には、上記溝部および上記追加の溝部に進入可能な突起が形成されていることを特徴としている。
【０００９】
このような構成の清掃具と支持体とのセットによれば、たとえば、支持体を、第１の側板が上位となるように平面上に置き、清掃具の柄を、ヘッド本体に沿う倒れ回動位置をとらせたまま上下に沿う姿勢で支持体の第１の側板の溝部に進入させることにより、清掃ヘッドが支持体に収容支持される。このとき、支持体に収容された清掃ヘッドについては、ヘッド本体の長手軸が上下に沿っており、横方向の寸法が比較的に小である。これに伴い、当該清掃ヘッドを収容する支持体についても横方向の寸法を小さくすることができる。したがって、保管時において上記セットの占有スペースを小さくすることができる。
【００１０】
支持体の第１の側板に設けられた溝部は、底板と反対側の縁に開放部を有している。これにより、清掃具の不使用時には、倒れ回動位置をとる柄を掴み、当該柄を、開放部を通じて溝部に進入させ、底板に近づけるという簡単な操作により、清掃ヘッドが支持体の第１および第２の側板の間に収容されて、清掃具を支持体に支持させることができる。また、清掃具を使用する際には、清掃具の柄を掴み、当該柄を、底板から遠ざけて開放部を通過するように引き出すという簡単な操作により、清掃具を支持体から分離することができる。このように、上記構成のセットによれば、支持体において可動部等を必要としないので、清掃具の支持構造の簡素化が図られており、支持体に対する清掃具の支持・分離操作は、清掃具の柄だけを掴むことにより行うことができる。
【００１１】
好ましい実施の形態においては、上記ヘッド本体は、上記柄を上記倒れ回動位置で保持する柄保持手段をさらに備える。このような構成によれば、柄は倒れ回動位置を適切にとり続けることができるので、支持体に対する清掃具の支持・分離操作を安定して行うことができる。また、清掃具が支持体に支持された状態において、柄と清掃ヘッドとが不用意に相対回動することは防止される。
【００１３】
上記構成によれば、柄の基端に対して遠くに位置する、ヘッド本体の長手方向端部を、溝部あるいは追加の溝部に沿ってスライドさせることができ、支持体に対する清掃具の支持・分離操作をスムーズに行うことができる。また、溝部および追加の溝部に突起が嵌まる構成によれば、清掃具が支持体に支持される際の位置決めを図ることができる。
【００１４】
好ましい実施の形態においては、上記溝部および上記追加の溝部は、曲線状に形成されている。このような構成によれば、溝部あるいは追加の溝部に進入させられた柄が当該溝部あるいは追加の溝部から不用意に抜けるのを防止することができる。
【００１５】
好ましい実施の形態においては、上記柄保持手段は、上記柄が上記倒れ回動位置をとるときに上記柄の倒れ方向の回動を規制するストッパと、上記柄が上記倒れ回動位置をとるまで回動する直前に弾性的に乗り越える凸部とにより構成される。このような構成によれば、倒れ回動位置をとる柄は、ストッパにより倒れ方向への回動が規制され、かつ凸部により倒れ方向とは反対側の戻り方向への回動が規制される。したがって、比較的簡単な構造および操作をもって、倒れ回動位置をとる柄がヘッド本体により適切に保持される。
【００１６】
好ましい実施の形態においては、上記ヘッド本体は、上記回動軸の延びる方向についての幅が相対的に狭い幅狭部と、上記幅が相対的に広い幅広部とを備えており、上記柄は上記幅狭部において回動可能に連結されているとともに、上記幅狭部と上記幅広部との境界の段部が上記ストッパを構成しており、かつ、上記凸部は上記幅狭部の側面に形成されている。
【００１７】
好ましい実施の形態においては、上記幅狭部と、上記幅広部は、上記ヘッド本体の長手方向全長にわたって設けられている。
【００１８】
好ましい実施の形態においては、上記柄は、上記幅狭部の長手方向中央部において回動可能に連結されており、上記凸部は、上記幅狭部の長手方向両端部付近に設けられている。このような構成によれば、柄を、ヘッド本体の長手方向両側のいずれの方向に倒してもヘッド本体に沿うように保持させることができるので、使い勝手がよい。
【００１９】
好ましい実施の形態においては、上記柄は、少なくとも先端から所定長さの範囲において、上記幅狭部を挟んで位置する一対の棒状部を備えており、上記ストッパおよび上記凸部は、上記幅狭部の上記短手方向両側に設けられている。このような構成によれば、倒れ回動位置をとる柄を、より適確に保持することができる。
【００２０】
好ましい実施の形態においては、上記支持体には、上記底板の短手方向における一方の縁につながる第３の側板が設けられており、上記第３の側板において、上記底板の長手方向の一方および他方の縁が上記第１および第２の側板につながっている。このような構成によれば、支持体は、底板を形成する４つの縁のうち３つの縁につながる側板を有しており、側板が設けられていない縁をゴミ等の掃き入れ縁とするちり取りとして用いるのに適する。
【００２１】
好ましい実施の形態においては、上記底板および上記第３の側板は、外側に凸の湾曲状とされている。
【００２２】
本発明のその他の特徴および利点は、添付図面を参照して以下に行う詳細な説明によって、より明らかとなろう。
【図面の簡単な説明】
【００２３】
【図１】本発明に係る清掃具と支持体とのセットの一例を示す斜視図である。
【図２】本発明に係る清掃具と支持体とのセットの一例を示す正面図である。
【図３】図１に示す清掃具の正面図である。
【図４】図３のＩＶ−ＩＶ線に沿う断面図である。
【図５】図３のＶ−Ｖ線に沿う断面図である。
【図６】柄が倒れ回動位置をとるときの、図３のＶＩ−ＶＩ線に沿う部分拡大断面図である。
【図７】清掃具の一部を分解した状態を示す部分拡大正面図である。
【図８】清掃具の一部を分解した状態を示す図４と同様の図である。
【図９】図１に示す支持体の斜視図である。
【図１０】図９のＸ−Ｘ線に沿う断面図である。
【図１１】図１のＸＩ−ＸＩ線に沿う部分拡大断面図である。
【発明を実施するための形態】
【００２４】
以下、本発明の好ましい実施の形態について、図面を参照して具体的に説明する。
【００２５】
図１は、本発明に係る清掃具と支持体とのセットの一例を示し、清掃具を支持体に支持させた状態を示す斜視図である。図２は、図１に表された上記セットの正面図である。図３〜図８は、図１に表された清掃具を示す図である。図９および図１０は、図１に表された支持体を示す図である。
【００２６】
図１および図２に表れているように、上記セットＡは、箒として構成された清掃具１と、この清掃具１を支持可能な支持体２とからなる。
【００２７】
清掃具１は、図３〜図５に表されているように、清掃ヘッド１０と、この清掃ヘッド１０に連結された長手状の柄１１とを備えて構成されている。
【００２８】
清掃ヘッド１０は、一定方向に延びる長手状のヘッド本体１００と、このヘッド本体１００に支持される多数本の掃毛１０１と、柄１１を連結するためのキャップ１０２とを備えている。
【００２９】
ヘッド本体１００は、たとえばＡＢＳ樹脂などの合成樹脂により一体形成されたものであり、幅狭部１００Ａと、この幅狭部１００Ａにつながる幅広部１００Ｂとを具備する柱状とされている。幅狭部１００Ａは、短手方向の幅が相対的に狭くされており、幅広部１００Ｂは、短手方向の幅が相対的に広くされている。幅狭部１００Ａおよび幅広部１００Ｂは、長手方向全長にわたって設けられている。
【００３０】
幅狭部１００Ａと幅広部１００Ｂとの境界には、短手方向の両側において傾斜状の段部１００ｃが形成されている。段部１００ｃは、柄１１の倒れ方向の回動を規制するためのものであり、本発明でいうストッパを構成している。なお、段部１００ｃは、本実施形態では傾斜状とされているが、これに代えて、幅狭部１００Ａおよび幅広部１００Ｂの側面に対して略垂直としてもよい。
【００３１】
ヘッド本体１００の長手方向中央部付近には、キャップ取付部１００ｄが設けられている。図７および図８に表れているように、キャップ取付部１００ｄは、ヘッド本体１００の短手方向の両側に突出する係止突起１００ｅと、上記短手方向に沿って形成された断面半円形の凹部１００ｆとを有する。
【００３２】
図５によく表れているように、幅狭部１００Ａの長手方向両端部付近には、幅狭部１００Ａの短手方向の両側面において凸部１００ｇが形成されている。詳細は後述するが、これら凸部１００ｇおよび上記した段部１００ｃは、柄１１を係止して保持するためのものであり、本発明でいう柄保持手段を構成している。また、幅狭部１００Ａの長手方向両端部の端面には、突起１００ｈが形成されている。
【００３３】
掃毛１０１は、たとえばナイロンなどの合成樹脂製の繊維からなり、所定本ずつ束ねた状態で幅広部１００Ｂの下面に植設されている。
【００３４】
キャップ１０２は、キャップ取付部１００ｄに取り付けられることにより、キャップ取付部１００ｄと協働して柄１１を回動可能に支持するものである。図７および図８に表れているように、キャップ１０２は、キャップ取付部１００ｄの係止突起１００ｅに係止させられる複数の係止爪１０２ａと、断面半円形の凹部１０２ｂとを有し、たとえば弾性変形可能な合成樹脂製である。キャップ１０２は、後述する柄１１の連結部１１１ａをキャップ取付部１００ｄの凹部１００ｆに嵌めた状態でキャップ取付部１００ｄに押し込むことにより、係止爪１０２ａが係止突起１００ｅに係合し、キャップ取付部１００ｄに固定される。
【００３５】
図３〜図５に表れているように、柄１１は、基端側を占める把持部１１０と、中間ないし先端側を占める柄本体部１１１とを備えて構成されている。把持部１１０は、たとえばＡＢＳ樹脂などの合成樹脂からなる。柄本体部１１１は、たとえばステンレスなどの金属材料からなる丸棒を折り曲げて形成されたものであり、先端に位置する連結部１１１ａと、この連結部１１１ａの両端から長手方向に延びる一対の棒状部１１１ｂとを有する。これら棒状部１１１ｂは、先端から所定長さの範囲において所定の間隔を隔てられており、ヘッド本体１００の幅狭部１００Ａを挟んで位置する。一方、一対の棒状部１１１ｂの基端寄りの部分は、基端に向かうにつれて近接させられている。柄本体部１１１の基端は、たとえばインサート成形によって把持部１１０に一体に埋設されている。
【００３６】
図４から理解されるように、連結部１１１ａは、キャップ１０２がヘッド本体１００に取り付けられた状態において、断面半円形の凹部１０２ｂ，１００ｆにより回転自在に支持される。これにより、柄１１は、ヘッド本体１００に対して、その短手方向に延びる回動軸Ｏ１を中心として回動可能に連結されている。
【００３７】
図４または図６に表れているように、一対の棒状部１１１ｂにおいて、柄１１が回動したときにヘッド本体１００の長手方向両端部付近に対応する部分の自然状態における間隔Ｌ１は、幅狭部１００Ａの短手方向両側面に設けられた凸部１００ｇの先端どうしの間隔Ｌ２よりも少し小さくなっている。これにより、柄１１を倒れ方向に回動させると、一対の棒状部１１１ｂは、弾性変形を伴いながら凸部１００ｇを乗り越え、図６に示すように、倒れ回動位置をとる。このとき、柄１１は、ヘッド本体１００に沿っており、段部１００ｃ（ストッパ）により係止されて倒れ方向への回動が規制されるとともに、凸部１００ｇにより係止されて倒れ方向とは反対側の戻り方向への回動が規制される。なお、図３および図５においては、柄１１が倒れ回動位置をとる状態を仮想線で表している。
【００３８】
支持体２は、図９および図１０に表れているように、底板２０と、３つの側板２１，２２，２３とを備え、各部の厚みが略一定となるようにして、たとえばＡＢＳ樹脂などの合成樹脂により一体形成されたものである。
【００３９】
底板２０は、図２および図９から理解されるように、概略長矩形の外形を有している。また、図１および図９に表れているように、底板２０は、外側に凸の湾曲状とされている。
【００４０】
側板２１，２２は、底板２０の長手方向の両端縁からそれぞれ立ち上がっており、互いに対向している。底板２０の長手寸法は、ヘッド本体１００の長手寸法に対応させられている。本実施形態では、側板２１，２２の間隔Ｌ３は、清掃具１のヘッド本体１００の長手寸法Ｌ４より大とされている（図２参照）。これにより、ヘッド本体１００は、その長手軸が底板２０の長手方向に沿う状態で側板２１，２２の間に位置することが可能となっている。
【００４１】
側板２１，２２には、溝部２１ａ，２２ａが設けられている。溝部２１ａは、底板２０と反対側の縁に開放部２１ｂを有し、底板２０に向けて緩やかな曲線状となるように形成されている。これと同様に、溝部２２ａも底板２０と反対側の縁に開放部２２ｂを有し、底板２０に向けて曲線状に形成されている。これら溝部２１ａ，２２ａは、ほぼ一定の幅とされているとともに、互いに対向する位置に設けられている。
【００４２】
溝部２１ａ，２２ａの幅Ｌ５は、柄１１の棒状部１１１ｂの直径Ｄ１よりも大とされている（図４および図１０参照）。これにより、棒状部１１１ｂ（柄１１）は、開放部２１ｂ，２２ｂを通じて溝部２１ａ，２２ａに進入することができる。また、溝部２１ａ，２２ａの幅Ｌ５は、清掃具１のヘッド本体１００に設けられた突起１００ｈの長さＬ６よりも大とされている（図３参照）。これにより、各突起１００ｈは、溝部２２ａ（２１ａ）に進入可能となっている（図１１参照）。
【００４３】
側板２３は、底板２０の短手方向における一方の縁から延びており、外側に凸の湾曲状とされている。この側板２３において、底板２０の長手方向の両端縁が側板２１，２２につながっている。
【００４４】
上記構成の支持体２は、底板２０の４つの縁のうち、側板２１，２２，２３が設けられていない縁２０ａをゴミ等の掃き入れ縁とする、ちり取りとして使用可能に構成されたものである。
【００４５】
次に、上記した清掃具１と支持体２とのセットＡの作用について説明する。
【００４６】
上記構成の清掃具１と支持体２とのセットＡによれば、たとえば清掃具１の不使用時には、図１および図２に示すように、支持体２を、側板２１が上位となるように床面に立てて置き、清掃具１の柄１１を、ヘッド本体１００に沿う倒れ回動位置をとらせたまま上下に沿う姿勢で側板２１の溝部２１ａに進入させる。これにより、清掃具１は、ヘッド本体１００（清掃ヘッド１０）が側板２１，２２間に位置して支持体２に収容された状態で、支持体２に支持される。このとき、支持体２に収容された清掃ヘッド１０については、ヘッド本体１００の長手軸が上下に沿っており、横方向の寸法が比較的に小である。これに伴い、当該清掃ヘッド１０を収容する支持体２についても横方向の寸法を小さくすることができる。したがって、保管時等においてセットＡの占有スペースを小さくすることができる。
【００４７】
支持体２の側板２１に設けられた溝部２１ａは、底板２０と反対側の縁に開放部２１ｂを有している。これにより、清掃具１の不使用時には、倒れ回動位置をとる柄１１を掴み、当該柄１１を、開放部２１ｂを通じて溝部２１ａに進入させ、底板２０に近づけるという簡単な操作により、清掃ヘッド１０が支持体２の側板２１，２２の間に収容されて、清掃具１を支持体２に支持させることができる。また、清掃具１を使用する際には、清掃具１の柄１１を掴み、当該柄１１を、底板２０から遠ざけて開放部２１ｂを通過するように引き出すという簡単な操作により、清掃具１を支持体２から分離することができる。このように、上記構成のセットＡによれば、支持体２において可動部等を必要としないので、清掃具１の支持構造の簡素化が図られており、支持体２に対する清掃具１の支持・分離操作は、清掃具１の柄１１だけを掴むことにより行うことができる。
【００４８】
ヘッド本体１００は、柄１１を倒れ回動位置において係止して保持する柄保持手段（段部１００ｃおよび凸部１００ｇ）を備えるため、柄１１は倒れ回動位置を適切にとり続けることができ、支持体２に対する清掃具１の支持・分離操作を安定して行うことができる。また、清掃具１が支持体２に支持された状態において、柄１１と清掃ヘッド１０とが不用意に相対回動することは防止される。
【００４９】
柄１１は、倒れ方向へ回動させられると、倒れ回動位置をとる直前に凸部１００ｇを弾性的に乗り越える。そして、図６を参照して上述したように、倒れ回動位置をとる柄１１は、段部１００ｃ（ストッパ）により倒れ方向への回動が規制され、凸部１００ｇにより戻り方向への回動が規制される。かかる構成によれば、比較的簡単な構造および操作をもって、倒れ回動位置をとる柄１１がヘッド本体１００により適切に保持される。
【００５０】
柄１１は、ヘッド本体１００の幅狭部１００Ａの長手方向中央部において、ヘッド本体１００の短手方向に延びる回動軸Ｏ１を中心として回動可能に連結されている。そして、凸部１００ｇは、幅狭部１００Ａの長手方向両端部付近に設けられている。これにより、柄１００は、ヘッド本体１００の長手方向両側のいずれの方向に倒してもヘッド本体１００に沿うように保持させられるので、使い勝手がよい。
【００５１】
また、柄１１は、倒れ回動位置をとるとき、幅狭部１００Ａおよび幅広部１００Ｂの境界の段部１００ｃと、幅狭部１００Ａの側面に形成された凸部１００ｇとにより、いずれの方向への回動も規制されている。このとき、図３に表れているように、柄１１は、正面視においてヘッド本体１００に重なる位置にある。したがって、柄１１が倒れ回動位置をとるときに、清掃ヘッド１０ないし柄１１の高さ方向（図３における上下方向）の寸法を小さくすることができる。このことは、図２に表された支持体２の横方向の寸法を小さくするうえで好適であり、保管時等におけるセットＡの占有スペースの狭小化に資する。
【００５２】
さらに、柄１１は、幅狭部１００Ａを挟んで位置する一対の棒状部１１１ｂを備えており、段部１００ｃおよび凸部１００ｇは、幅狭部１００Ａの短手方向両側に設けられている。このような構成によれば、倒れ回動位置をとる柄１１を、より適確に保持することができる。
【００５３】
支持体２においては、側板２２にも底板２０と反対側の縁に開放部２２ｂを有する溝部２２ａが形成されており、溝部２２ａは、側板２１の溝部２１ａに対して対向する位置に設けられている。これにより、側板２１，２２のいずれが上位となるように支持体２を床面に置いても、柄１１を溝部２１ａ（２２ａ）に進入させることにより清掃具１を支持体２に支持させることができるので、使い勝手がよい。
【００５４】
さらに、清掃具１におけるヘッド本体１の長手方向両端部には、溝部２２ａ（２１ａ）に進入可能な突起１００ｈが設けられている（図１１参照）。これにより、柄１１が倒れ回動位置をとるとき、柄１１の基端に対して遠くに位置する、ヘッド本体１００の長手方向端部を、溝部２２ａ（２１ａ）に沿ってスライドさせることができ、支持体２に対する清掃具１の支持・分離操作をスムーズに行うことができる。また、溝部２２ａ（２１ａ）に突起１００ｈが嵌まる構成によれば、清掃具１が支持体２に支持される際の位置決めを図ることができる。
【００５５】
また、支持体２の溝部２１ａ，２２ａは、曲線状に形成されている。これにより、溝部２１ａ（２２ａ）に進入した柄１１は、開放部２１ｂ側に傾いたとしても、曲線状の溝部２１ａ（２２ａ）に引っ掛かる。したがって、溝部２１ａ（２２ａ）に進入させられた柄１１が当該溝部２１ａ（２２ａ）から不用意に抜けることは防止される。かかる構成は、清掃具１が支持体２に支持された状態を適切に維持するうえで好適である。
【００５６】
清掃具１の使用時には、支持体２をちり取りとして使用することができる。ここで、底板２０および側板２３が外側に凸の湾曲状とされていることから、たとえば、側板２３の先端縁に親指をかけるとともに、側板２３および底板２０に跨るように掌を沿わせて支持体２を掴むことができ、ちり取りとして使用する際の使い勝手がよい。
【００５７】
以上、本発明の具体的な実施形態を説明したが、本発明はこれに限定されるものではなく、発明の思想から逸脱しない範囲内で種々な変更が可能である。本発明に係るセットを構成する清掃具および支持体の各部の具体的な形状や材質なども、上記実施形態に限定されるものではない。
【００５８】
上記実施形態においては、柄保持手段として段部１００ｃおよび凸部１００ｇを有する構成例について説明したが、これに限定されるものではない。たとえば、柄保持手段を口が開いたクランプにより構成し、当該クランプにより倒れ回動位置をとる柄を保持してもよい。
【００５９】
上記実施形態において、柄１１は、清掃ヘッド１０の幅狭部１００Ａを挟んで位置する一対の棒状部１１１ｂを具備する構成とされていたが、これに限定されない。柄としては、単一の棒状部を具備する構成としてもよい。
【００６０】
上記実施形態では、箒として構成された清掃具１を例に挙げて説明したが、清掃具としては、たとえば布製の払拭部材を具備してなる、箒以外の構成としてもよい。
【符号の説明】
【００６１】
Ａ          セット
Ｏ１        回動軸
１          清掃具
２          支持体
１０        清掃ヘッド
１００      ヘッド本体
１００Ａ    幅狭部
１００Ｂ    幅広部
１００ｃ    段部（ストッパ）
１００ｇ    凸部
１００ｈ    突起
１０１      掃毛
２０        底板
２１        （第１の）側板
２１ａ      溝部
２１ｂ      開放部
２２        （第２の）側板
２２ａ      （追加の）溝部
２２ｂ      開放部
２３        （第３の）側板
【図１】
0005632640.tif 000002
【図２】
0005632640.tif 000003
【図３】
0005632640.tif 000004
【図４】
0005632640.tif 000005
【図５】
0005632640.tif 000006
【図６】
0005632640.tif 000007
【図７】
0005632640.tif 000008
【図８】
0005632640.tif 000009
【図９】
0005632640.tif 000010
【図１０】
0005632640.tif 000011
【図１１】
0005632640.tif 000012